(57)【要約】【課題】ストレーナの取付構造において、小型、安価で、狭い場所でもストレーナの取付けを可能とする。【解決手段】ストレーナ取付構造は、接続配管３と、接続配管３に着脱可能に取付けられたストレーナ本体２と、ストレーナ本体２に内蔵されたスクリーン１と、接続配管３とスクリーン２とを締結する管継手１０とを備える。接続配管３はストレーナ本体２に連接する端部の外周面に配管側継手溝２ａを全周に有し、ストレーナ本体２はその両端部外周面に配管側継手溝３ａと対になるストレーナ側継手溝２ａを全周に有し、管継手１０は、配管側継手溝３ａとストレーナ側継手溝２ａとに跨って径方向から係合した複数のジョイント部材５と、複数のジョイント部材５の連接する端部間を接続配管３の長手方向に交差する方向に締結した締結具６、７とからなる。【選択図】図１
2008025757.tif 000002
【特許請求の範囲】
【請求項１】
流体を通す接続配管と、
前記接続配管の途中に着脱可能に取付けられたストレーナ本体と、
前記ストレーナ本体に内蔵されて流体中の異物を除去するスクリーンと、
前記接続配管と前記スクリーンとを締結する管継手と、を備えたストレーナ取付構造において、
前記接続配管は前記ストレーナ本体に連接する端部の外周面に配管側継手溝を全周に有し、
前記ストレーナ本体はその両端部外周面に前記配管側継手溝と対になるストレーナ側継手溝を全周に有し、
前記管継手は、前記配管側継手溝と前記ストレーナ側継手溝とに跨って径方向から係合した複数のジョイント部材と、前記複数のジョイント部材の連接する端部間を前記接続配管の長手方向に交差する方向に締結した締結具とからなる
ことを特徴とするストレーナ取付構造。
【請求項２】
請求項１において、前記複数のジョイント部材は径方向に対称な２つの半円弧状部材で構成され、前記締結具は前記２つのジョイント部材の遊端部間を締結するボルト、ナットで構成されていることを特徴とするストレーナ取付構造。
【請求項３】
異物を除去する円筒状スクリーンをストレーナ本体に内蔵し、このストレーナ本体を接続配管の途中に取付けるストレーナ取付け方法において、
前記接続配管の一部を切断して前記ストレーナ本体として取り出し、
この取り出されたストレーナ本体の両端部外周面にストレーナ側継手溝を全周に成形し、
前記接続配管の切断端部の外周面に前記ストレーナ側継手溝と対になる配管側継手溝を全周に成形し、
前記ストレーナ本体内に前記スクリーンを収納し、
このストレーナ本体を前記接続配管の切断された部分に組み込み、
前記配管側継手溝と前記ストレーナ側継手溝とに跨って径方向から複数のジョイント部材を係合し、
前記複数のジョイント部材が連接する端部を前記接続配管の長手方向に交差する方向に締結具で締結する
ことを特徴とするストレーナ取付方法。
【発明の詳細な説明】
【技術分野】
【０００１】
本発明は、ストレーナ取付構造及びストレーナ取付方法に係り、特にチラーユニットのストレーナ取付構造及びそのストレーナ取付方法に好適なものである。
【背景技術】
【０００２】
チラーユニットの配管途中に設置され、配管内を流れる流体中の異物を除去するストレーナとして、Ｙ字形に分岐した分岐部の内部に円筒状のスクリーンが内蔵されているＹ型ストレーナが一般的に使用されている。
【０００３】
また、ストレーナ取付構造としては、図３に示すような、流体を通す接続配管３と、接続配管３の途中に着脱可能に取付けられたストレーナ本体２と、ストレーナ本体２に内蔵されて流体中の異物を除去するスクリーン１と、ストレーナ本体２の両端部に設けられたストレーナ側フランジ２ｂと接続配管３の端部に設けられた配管側フランジ３ｂとをボルト６、ナット７からなる締結具を用いて締結した管継手４と、を備えるものが案出されている。このボルト６は、接続配管３の長手方向に両フランジ２ｂ、３ｂを貫通するように取付けられる。
【０００４】
なお、このストレーナ取付構造に関連する特許文献としては、例えば特開平５−２４５３１４号公報（特許文献１）が挙げられる。
【０００５】
【特許文献１】特開平５−２４５３１４号公報（図１）
【発明の開示】
【発明が解決しようとする課題】
【０００６】
上述した従来のＹ型ストレーナでは、Ｙ字形となる分岐部を設けてその内部に円筒状のスクリーンを内蔵しているため、大型で高価になってしまう、という問題があった。
【０００７】
また、上述した図３に示すストレーナ取付構造では、ボルト６の取付け方向が接続配管の長手方向と同じであるため、フランジ３ａの両側にボルト６の取付け、取り外しのための大きなスペースが必要である、という問題があった。更には、両側にフランジ２ａの付いたストレーナ本体２を準備する必要があると共に、接続配管３側にもフランジ３ａを必要とし、フランジ３ａは接続配管３に溶接する専任の作業者を必要とする。これらのためにコストアップを招く、という問題があった。
【０００８】
本発明の目的は、小型、安価で、狭い場所でもストレーナの取付けが可能なストレーナ取付構造及びストレーナ取付方法を得ることにある。
【課題を解決するための手段】
【０００９】
前述の目的を達成するための本発明の第１の態様は、流体を通す接続配管と、前記接続配管の途中に着脱可能に取付けられたストレーナ本体と、前記ストレーナ本体に内蔵されて流体中の異物を除去するスクリーンと、前記接続配管と前記スクリーンとを締結する管継手と、を備えたストレーナ取付構造において、前記接続配管は前記ストレーナ本体に連接する端部の外周面に配管側継手溝を全周に有し、前記ストレーナ本体はその両端部外周面に前記配管側継手溝と対になるストレーナ側継手溝を全周に有し、前記管継手は、前記配管側継手溝と前記ストレーナ側継手溝とに跨って径方向から係合した複数のジョイント部材と、前記複数のジョイント部材の連接する端部間を前記接続配管の長手方向に交差する方向に締結した締結具とからなる構成にしたことにある。
【００１０】
係る本発明の第１の態様におけるより好ましい具体的構成例は次の通りである。
（１）前記複数のジョイント部材は径方向に対称な２つの半円弧状部材で構成され、前記締結具は前記２つのジョイント部材の遊端部間を締結するボルト、ナットで構成されていること。
【００１１】
また、本発明の第２の態様は、異物を除去する円筒状スクリーンをストレーナ本体に内蔵し、このストレーナ本体を接続配管の途中に取付けるストレーナ取付け方法において、前記接続配管の一部を切断して前記ストレーナ本体として取り出し、この取り出されたストレーナ本体の両端部外周面にストレーナ側継手溝を全周に成形し、前記接続配管の切断端部の外周面に前記ストレーナ側継手溝と対になる配管側継手溝を全周に成形し、前記ストレーナ本体内に前記スクリーンを収納し、このストレーナ本体を前記接続配管の切断された部分に組み込み、前記配管側継手溝と前記ストレーナ側継手溝とに跨って径方向から複数のジョイント部材を係合し、前記複数のジョイント部材が連接する端部を前記接続配管の長手方向に交差する方向に締結具で締結するようにしたことにある。
【発明の効果】
【００１２】
かかる本発明によれば、小型、安価で、狭い場所でもストレーナの取付けが可能なストレーナ取付構造及びストレーナ取付方法を得ることができる。
【発明を実施するための最良の形態】
【００１３】
以下、本発明の一実施形態について図１及び図２を用いて説明する。図１は本発明の一実施形態に係るジョイント型ストレーナの取付構造及び取付方法を説明する図、図２は図１に用いるストレーナ本体を接続配管から切断した状態を示す図である。なお、図１と図３とにおける同一符号は対応物を示す。
【００１４】
ストレーナ９は、流体が通る円筒状接続配管３の直線状に延びる部分の途中に着脱可能に取付けられるストレーナ本体２と、ストレーナ本体２に内蔵されて流体中の異物を除去するスクリーン１とから構成される。接続配管３はチラーユニットのプレート式熱交換器の吸込み側配管を構成するものである。このプレート式熱交換器は塵などの異物に弱い傾向にあるため、流体がプレート式熱交換器に流入する前に流体中の異物を除去することが必要であるが、この吸込み側配管は特に狭い場所に設けられる。
【００１５】
ストレーナ本体２は、図２に示すように、接続配管３の一部を切断してストレーナ本体として取り出される。この取り出されたストレーナ本体２は、図１に示すように、その両端部外周面にストレーナ側継手溝２ａが全周に成形される。なお、この取り出されたストレーナ本体２の内径及び外径は、当然ながら、接続配管３の内径及び外径と同一である。
【００１６】
スクリーン１は、基本的に円筒状に形成されている。具体的には、スクリーン１は、一側に円錐状に小径となる円筒部１ａと、この円筒部１ａの他側端部に一体に設けた鍔部１ｂとからなっている。このように、スクリーン１を円筒状に形成することにより、円筒部１ａの流体通過面積を増大することができる。そして、スクリーン１の鍔部１ｂがストレーナ本体２の端面に対向された状態になるように、スクリーン１の円筒部１ａがストレーナ本体２の内部に収納される。
【００１７】
なお、スクリーン１の鍔部１ｂとストレーナ本体２の端面との間には、リング状のパッキン８が介在される。このパッキン８は、ストレーナ９を接続配管３に取付けた状態で、スクリーン１がガタ付かないように機能する。スクリーン１の鍔部１ｂをストレーナ本体２の端面に溶接等で固着することでパッキン８を不要とすることができる。
【００１８】
かかるスクリーン１、パッキン８及びストレーナ本体２を有するストレーナ９は、従来のＹ型ストレーナに比較して、小型で安価なものとすることができる。また、ストレーナ本体２がフランジを有しない単純な円筒状であるため、ストレーナ９を安価なものとすることができる。特に、ストレーナ本体２は、接続配管３のストレーナ設置のために切断する部分を利用するため、極めて安価に製作することができる。
【００１９】
一方、ストレーナ本体２を切断された接続配管３は、図１に示すように、その切断端部の外周面にストレーナ側継手溝２ａと対になる配管側継手溝３ａが全周に成形される。
【００２０】
そして、ストレーナ本体２にスクリーン１を組み込んだストレーナ９は、接続配管３の切断された部分に接続配管３に同軸となるように組み込まれる。この状態で、配管側継手溝３ａとストレーナ側継手溝２ａとに跨って径方向から複数のジョイント部材５が係合される。なお、複数のジョイント部材５は、本実施形態では、径方向に対称な２つの半円弧状部材で構成され、接続配管３及びストレーナ本体２の上下両側からそれぞれの配管側継手溝３ａ及びストレーナ側継手溝２ａに係合するように取付けられる。
【００２１】
さらには、この分割されたジョイント部材５が締結具であるボルト６及びナット７を用いて締結されることにより管継手１０が構成される。具体的には、分割されたジョイント部材５が連接する端部は、接続配管３の長手方向に交差する方向（図１の上下方向）にボルト６が通されて締結される。なお、ジョイント部材５と接続配管３及びストレーナ本体２との間には、図示しないリング状パッキンが挟持され、密閉性が確保される。
【００２２】
この管継手１０は、ボルト６及びナット７を取り外すことにより解除することができ、ジョイント部材５を取り外すことにより、ストレーナ９を接続配管３から取り外すことができる。
【００２３】
本実施形態のストレーナ取付構造によれば、接続配管３はストレーナ本体２に連接する端部の外周面に配管側継手溝２ａを全周に有し、ストレーナ本体２はその両端部外周面に配管側継手溝３ａと対になるストレーナ側継手溝２ａを全周に有し、管継手１０は、配管側継手溝３ａとストレーナ側継手溝２ａとに跨って径方向から係合した複数のジョイント部材５と、複数のジョイント部材５の連接する端部間を接続配管３の長手方向に交差する方向に締結した締結具６、７とからなるので、小型、安価で、狭い場所でもストレーナの取付けが可能なストレーナ取付構造とすることができる。
【００２４】
また、本実施形態のストレーナ取付方法によれば、接続配管３の一部を切断してストレーナ本体２として取り出し、この取り出されたストレーナ本体２の両端部外周面にストレーナ側継手溝２ａを全周に成形し、接続配管３の切断端部の外周面にストレーナ側継手溝２ａと対になる配管側継手溝３ａを全周に成形し、ストレーナ本体２内にスクリーン１を収納し、このストレーナ本体２を接続配管３の切断された部分に組み込み、配管側継手溝３ａとストレーナ側継手溝２ａとに跨って径方向から複数のジョイント部材５を係合し、複数のジョイント部材５が連接する端部を接続配管３の長手方向に交差する方向に締結具６，７で締結するので、小型、安価で、狭い場所でもストレーナの取付けが可能なストレーナ取付方法とすることができる。
【図面の簡単な説明】
【００２５】
【図１】本発明の一実施形態に係るジョイント型ストレーナの取付構造及び取付方法を説明する図である。
【図２】図１に用いるストレーナ本体を接続配管から切断した状態を示す図である。
【図３】従来のストレーナの取付構造を説明する図である。
【符号の説明】
【００２６】
１…スクリーン、１ａ…円筒部、１ｂ…鍔部、２…ストレーナ本体、２ａ…ストレーナ側継手溝、３…接続配管、３ａ…配管側継手溝、４…管継手、５…ジョイント部材、６…ボルト、７…ナット、８…パッキン、９…ストレーナ、１０…管継手。
【図１】
2008025757.tif 000003
【図２】
2008025757.tif 000004
【図３】
2008025757.tif 000005